(57)【要約】【課題】呼接続要求信号処理方法及び無線基地局制御装置に関し、呼接続処理を効率的に実施する。【解決手段】移動機と無線基地局との間で送受される呼接続要求信号（ＲＡＣＨ）の各無線基地局の処理完了率の統計情報を集計するステップ（１−１）、処理完了率が所定の閾値（Ｍ％）以下となる周期毎に該無線基地局の呼接続要求信号の処理数を段階的に減少させ、処理完了率が所定の閾値（Ｍ％）以上となる周期毎に該処理数を段階的に増加させるよう、輻輳制御レベルを設定するステップ（１−４〜１−１２）、該輻輳制御レベルに応じて輻輳制御対象の無線基地局の呼接続要求信号の処理数を算出するステップ（１−１３）により、輻輳時に、処理完了率の低い無線基地局の呼接続要求信号の処理数を規制する。また、何れかの無線基地局からの呼接続要求信号数が、処理可能な信号数の所定の割合の閾値（Ｎ％）を超えたときにも直ちに前記規制処理を実施する。【選択図】図１
2008306513.tif 000002
【特許請求の範囲】
【請求項１】
移動機と無線基地局との間で送受される呼接続要求信号に対する各無線基地局の処理完了率の統計情報を集計する統計情報集計ステップと、
前記各無線基地局の処理完了率の統計情報に基づき、該処理完了率の低い無線基地局の呼接続要求信号の処理数を制限する輻輳制御レベル設定ステップと、
前記輻輳制御レベル設定ステップで設定された輻輳制御レベルに応じた規制処理率で、前記各無線基地局の呼接続要求信号を処理する規制処理ステップと、
を含むことを特徴とする呼接続要求信号の処理方法。
【請求項２】
前記統計情報集計ステップで、前記処理完了率を所定の周期毎に観測し、前記輻輳制御レベル設定ステップで、該処理完了率が所定の閾値以下となる周期毎に、該無線基地局の呼接続要求信号の処理数を段階的に減少させ、該処理完了率が所定の閾値以上となる周期毎に、該無線基地局の呼接続要求信号の処理数を段階的に増加させることを特徴とする請求項１に記載の呼接続要求信号の処理方法。
【請求項３】
前記輻輳制御レベル設定ステップで、前記処理数が最も少ない最下位レベルを設定したときに、所定の時間の経過を計時する最下位レベルタイマを開始させ、該最下位レベルタイマが所定の時間経過の計時を完了したときに、輻輳制御レベルを最下位レベルより１レベル高く、より処理数の多い輻輳制御レベルに設定することを特徴とする請求項２に記載の呼接続要求信号の処理制御方法。
【請求項４】
何れかの無線基地局から受信した呼接続要求信号数が、前記無線基地局制御装置の呼接続要求信号処理可能数の所定の割合の閾値を超えたとき、直ちに、前記輻輳制御レベル設定ステップ及び規制処理ステップの処理を実施することを特徴とする請求項１に記載の呼接続要求信号の処理方法。
【請求項５】
移動機と無線基地局との間で送受される呼接続要求信号に対する各無線基地局の処理完了率の統計情報を集計する統計情報集計手段と、
輻輳状態にある場合、前記各無線基地局の処理完了率の統計情報に基づき、該処理完了率の低い無線基地局の呼接続要求信号の処理数を制限する輻輳制御レベル設定手段と、
前記輻輳制御レベル設定ステップで設定された輻輳制御レベルに応じた規制処理率で、前記各無線基地局の呼接続要求信号を処理する規制処理手段と、
を備えたことを特徴とする無線基地局制御装置。
【発明の詳細な説明】
【技術分野】
【０００１】
本発明は、呼接続要求信号の処理方法及び無線基地局制御装置に関する。本発明は、特に、第三世代携帯電話（３ＧＰＰ：Third Generation Partnership Project）システムの無線基地局制御装置において、ＲＡＣＨ（Ｒａｎｄｏｍ  Ａｃｃｅｓｓ  Ｃｈａｎｎｅｌ）信号等の呼接続要求信号を効率的に処理する呼接続要求信号処理方法及び無線基地局制御装置に適用すると好適である。
【背景技術】
【０００２】
図３に第三世代携帯電話（３ＧＰＰ）システムのネットワーク構成の概要を示す。第三世代携帯電話（３ＧＰＰ）システムは、上位網（ＣＮ：Ｃｏｒｅ  Ｎｅｔｗｏｒｋ）３−１、無線ネットワーク制御装置（ＲＮＣ：Ｒａｄｉｏ  Ｎｅｔｗｏｒｋ  Ｃｏｎｔｒｏｌｌｅｒ）３−２、無線基地局（ＮｏｄｅＢ）３−３及び移動機（ＵＥ：Ｕｓｅｒ  Ｅｑｕｉｐｍｅｎｔ）３−４を含んで構成されている。無線ネットワーク制御装置（ＲＮＣ）３−２とその配下の無線基地局（ＮｏｄｅＢ）３−３とを含むネットワークは、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と称される。
【０００３】
各ノード間インターフェイスについて、移動機（ＵＥ）−無線基地局（ＮｏｄｅＢ）間のインターフェイスはＵｕと称され、該インターフェイスの物理的な通信媒体は無線である。無線基地局（ＮｏｄｅＢ）−無線ネットワーク制御装置（ＲＮＣ）間のインターフェイス、無線ネットワーク制御装置（ＲＮＣ）−上位網（ＣＮ）間のインターフェイス、及び無線ネットワーク制御装置（ＲＮＣ）−無線ネットワーク制御装置（ＲＮＣ）間のインターフェイスは、それぞれＩｕｂ、Ｉｕ、Ｉｕｒと称され、物理的な通信媒体は有線である。
【０００４】
上述の第三世代携帯電話（３ＧＰＰ）システムにおいて、無線ネットワーク制御装置（ＲＮＣ）３−２は、移動機（ＵＥ）３−４の無線リンク接続時に送受されるＲＡＣＨ（Ｒａｎｄｏｍ  Ａｃｃｅｓｓ  Ｃｈａｎｎｅｌ）信号等の呼接続要求信号に対して、該信号を受信した順に、呼接続設定のシーケンス処理を開始する。
【０００５】
図４に移動機（ＵＥ）からの発信時の呼接続設定のシーケンスの概要を示す。移動機（ＵＥ）からは、発信時に最初にＲＲＣ  ＣＯＮＮＥＣＴＩＯＮ  ＲＥＱＵＥＳＴ（ＲＡＣＨ）（４−１）信号が送信され、該信号が無線ネットワーク制御装置（ＲＮＣ）で受信されると、無線ネットワーク制御装置（ＲＮＣ）は無線基地局（ＮｏｄｅＢ）との間で、ＲＡＤＩＯ  ＬＩＮＫ  ＳＥＴＵＰ  ＲＥＱＵＥＳＴ（４−２），ＲＡＤＩＯ  ＬＩＮＫ  ＳＥＴＵＰ  ＲＥＳＰＯＮＳＥ（４−３），ＥＳＴＡＢＬＩＳＨ  ＲＥＱＵＥＳＴ（４−４），ＥＳＴＡＢＬＩＳＨ  ＣＯＮＦＩＲＭ（４−５）等の制御信号を遣り取りし、移動機（ＵＥ）との間で、ＲＲＣ  ＣＯＮＮＥＣＴＩＯＮ  ＳＥＴＵＰ（４−６），ＲＲＣ  ＣＯＮＮＥＣＴＩＯＮ  ＣＯＭＰＬＥＴＥ（４−７）の信号を遣り取りして制御チャネルを設定し、続いて移動機（ＵＥ）との間で、ＩＮＩＴＩＡＬ  ＤＩＲＥＣＴ  ＴＲＡＮＳＦＥＲ  ＳＥＲＶＩＣＥ  ＲＥＱＵＥＳＴ（４−８），・・・（途中省略），ＲＡＤＩＯ  ＢＥＡＲＥＲ  ＳＥＴＵＰ（４−９），ＲＡＤＩＯ  ＢＥＡＲＥＲ  ＳＥＴＵＰＣＯＭＰＬＥＴＥ（４−１０），・・・（途中省略）ＣＯＮＮＥＣＴ  ＡＣＫ（４−１１）の信号を遣り取りしてトラフィックチャネルを設定し、通話等の通信が可能となる。
【０００６】
移動通信システムにおけるＲＲＣ  ＣＯＮＮＥＣＴＩＯＮ  ＲＥＱＵＥＳＴ（４−１）の送信から始まる呼接続設定のシーケンスについては、下記の特許文献１等に記載されている。同文献に記載の移動通信システムは、移動機（ＵＥ）が無線ネットワーク制御装置（ＲＮＣ）間との信号送受信を行う際、ＲＲＣ接続要求にトラフィックチャネルを要求するパラメータを織り込み、共通ユーザトラフィックチャネルでユーザデータ転送用伝送経路を確保することができるようにしたものである。
【特許文献１】国際公開２００３／０２１９９８号公報
【発明の開示】
【発明が解決しようとする課題】
【０００７】
従来の無線ネットワーク制御装置（ＲＮＣ）は、移動機（ＵＥ）から送信されるＲＡＣＨ信号等の呼接続要求信号に対して、輻輳状態のいかんに関わらず、呼接続要求信号を受信した順に図４に示したような発信シーケンスで接続処理を開始し、処理能力を超える数の呼接続要求信号が受信された場合は、溢れた呼接続要求信号を廃棄する処理を行っていた。
【０００８】
そのため、統計的に接続処理の成功率が低い無線基地局（ＮｏｄｅＢ）が存在する場合であっても、従来の無線ネットワーク制御装置（ＲＮＣ）は、一律に各無線基地局（ＮｏｄｅＢ）に対して、呼接続要求信号を受信した順に発着信シーケンスの接続処理を開始するため、成功率の低い無線基地局（ＮｏｄｅＢ）の呼接続要求信号を無効に処理してしまい、その分、成功率の高い無線基地局（ＮｏｄｅＢ）の呼接続要求信号を輻輳時に廃棄していたので、無線ネットワーク制御装置（ＲＮＣ）全体における接続成功率の向上という点で、効率の悪い処理となっていた。
【０００９】
また、呼接続処理が正常終了しない移動機（ＵＥ）が増加すると、該移動機（ＵＥ）から再度、呼接続要求信号が送信されるため、輻輳状態に拍車をかける事態となる。このような状況においては、呼接続要求信号の処理数に制限がある無線ネットワーク制御装置（ＲＮＣ）装置では、成功率が低い無線基地局（ＮｏｄｅＢ）の呼接続要求信号であってもその処理を実施するため、他の無線基地局（ＮｏｄｅＢ）の呼接続要求信号の処理を実施することができなくなり、廃棄せざるを得なかった。
【００１０】
本発明は、無線ネットワーク制御装置（ＲＮＣ）が輻輳状態の場合、上述のような成功率の低い呼接続要求信号の無効な処理を抑制することを目的とする。
また、なるべく成功率の高い無線基地局（ＮｏｄｅＢ）の呼接続要求信号を受付けて、呼接続処理を効率的に実施することができる呼接続要求信号処理方法及び無線基地局制御装置を提供することを目的とする。
【課題を解決するための手段】
【００１１】
本発明の呼接続要求信号処理方法は、無線基地局制御装置において、移動機と無線基地局との間で送受される呼接続要求信号に対する各無線基地局の処理完了率の統計情報を集計する統計情報集計ステップと、輻輳状態にある場合、前記各無線基地局の処理完了率の統計情報に基づき、該処理完了率の低い無線基地局の呼接続要求信号の処理数を制限する輻輳制御レベル設定ステップと、前記輻輳制御レベル設定ステップで設定された輻輳制御レベルに応じた規制処理率で、前記各無線基地局の呼接続要求信号を処理する規制処理ステップと、を含むことを第１の特徴とする。
【００１２】
また、前記統計情報集計ステップで、前記処理完了率を所定の周期毎に観測し、前記輻輳制御レベル設定ステップで、該処理完了率が所定の閾値以下となる周期毎に、該無線基地局の呼接続要求信号の処理数を段階的に減少させ、該処理完了率が所定の閾値以上となる周期毎に、該無線基地局の呼接続要求信号の処理数を段階的に増加させることを第２の特徴とする。
【００１３】
また、前記輻輳制御レベル設定ステップで、前記処理数が最も少ない最下位レベルを設定したときに、所定の時間の経過を計時する最下位レベルタイマを開始させ、該最下位レベルタイマが所定の時間経過の計時を完了したときに、輻輳制御レベルを最下位レベルより１レベル高く、より処理数の多い輻輳制御レベルに設定することを第３の特徴とする。
【００１４】
また、何れかの無線基地局から受信した呼接続要求信号数が、前記無線基地局制御装置の呼接続要求信号処理可能数の所定の割合の閾値を超えたとき、直ちに、前記輻輳制御レベル設定ステップ及び規制処理ステップの処理を実施することを第４の特徴とする。
【００１５】
また、本発明の無線基地局制御装置は、移動機と無線基地局との間で送受される呼接続要求信号に対する各無線基地局の処理完了率の統計情報を集計する統計情報集計手段と、輻輳状態にある場合、前記各無線基地局の処理完了率の統計情報に基づき、該処理完了率の低い無線基地局の呼接続要求信号の処理数を制限する輻輳制御レベル設定手段と、前記輻輳制御レベル設定ステップで設定された輻輳制御レベルに応じた規制処理率で、前記各無線基地局の呼接続要求信号を処理する規制処理手段と、を備えたことを特徴とする。
【発明の効果】
【００１６】
本発明によれば、呼接続処理の成功率の低い無線基地局（ＮｏｄｅＢ）の呼接続要求信号の処理を規制することにより、成功率の低い呼接続要求信号の無効な処理を抑制することができる。また、成功率の高い無線基地局（ＮｏｄｅＢ）の呼接続要求信号を受付けて、呼接続処理を効率的に実施することができる。
【発明を実施するための最良の形態】
【００１７】
本発明による呼接続要求信号処理のフローを図１に示す。同図に示すように、無線ネットワーク制御装置（ＲＮＣ）は、定期的に各無線基地局（ＮｏｄｅＢ）の統計情報を集計し、該統計情報を無線基地局（ＮｏｄｅＢ）毎の統計情報テーブルに記録する（ステップ１−１）。収集する統計情報は、発着信に関係する情報で、かつ、無線基地局（ＮｏｄｅＢ）毎に集計可能な、例えばＲＲＣ完了率又はＣＳ／ＰＳ発着信完了率等、及び無線基地局（ＮｏｄｅＢ）毎のＲＡＣＨ信号処理数である。
【００１８】
なお、ＲＲＣ完了率は、前述の図４のＲＲＣ  ＣＯＮＮＥＣＴＩＯＮ  ＲＥＱＵＥＳＴ（ＲＡＣＨ）（４−１）信号の送信からＲＲＣ  ＣＯＮＮＥＣＴＩＯＮ  ＣＯＭＰＬＥＴＥ（４−７）までのシーケンスが正常に完了する確率である。また、ＣＳ／ＰＳ発着信完了率は、図４のＩＮＩＴＩＡＬ  ＤＩＲＥＣＴ  ＴＲＡＮＳＦＥＲ  ＳＥＲＶＩＣＥ  ＲＥＱＵＥＳＴ（４−８）からＲＡＤＩＯ  ＢＥＡＲＥＲ  ＳＥＴＵＰ  ＣＯＭＰＬＥＴＥ（４−１０）までのシーケンスが正常に完了する確率である。
【００１９】
上記ステップ１−１による各無線基地局（ＮｏｄｅＢ）の統計情報の集計は、通常状態時でも輻輳状態時でも周期的に実施し、通常状態から輻輳状態に遷移した場合、該周期が到達したか、又は何れかの無線基地局（ＮｏｄｅＢ）の呼接続要求信号（以下、ＲＡＣＨ信号という。）の個数が無線ネットワーク制御装置（ＲＮＣ）のＲＡＣＨ信号処理可能数の所定の割合（以下、この割合をＮ％とする）以上に到達したかを判定し（ステップ１−２）、該判定で肯定（ＹＥＳ）の結果が出力されたときに、前記統計情報テーブルに記録された情報を元にして、以下のように輻輳に対する規制制御を実施する。
【００２０】
まず、規制処理を行う輻輳制御対象となる無線基地局（ＮｏｄｅＢ）を抽出する（ステップ１−３）。ここで、輻輳制御対象となる無線基地局（ＮｏｄｅＢ）は、統計情報を基に新たに抽出した、呼接続要求信号に対する各無線基地局の処理完了率（以下、成功率という。）が所定の比率（以下、この比率をＭ％とする。）以下になった無線基地局（ＮｏｄｅＢ）、及び既に前周期で輻輳制御対象となり、未だ輻輳制御対象からの解除がなされていない無線基地局（ＮｏｄｅＢ）である。
【００２１】
輻輳制御対象の無線基地局（ＮｏｄｅＢ）を抽出した後は、対象無線基地局（ＮｏｄｅＢ）単位に、以下の処理フローの呼接続規制制御を開始する。輻輳制御対象として抽出した或る１つの無線基地局（ＮｏｄｅＢ＃Ｎ）についてその成功率が所定の比率Ｍ％以下であるかを、統計情報を基に判定する（ステップ１−４）。ここで、＃Ｎは輻輳制御対象の無線基地局（ＮｏｄｅＢ）の番号である。
【００２２】
該判定で肯定（ＹＥＳ）の判定結果が出力された場合、該無線基地局（ＮｏｄｅＢ＃Ｎ）の輻輳制御レベルが最下位レベルか否かを判定し（ステップ１−５）、該判定で否定（ＮＯ）の判定結果が出力された場合、輻輳制御レベルを現状から１段階レベルダウンさせる（ステップ１−６）。
【００２３】
なお、輻輳制御レベルが最下位レベルに達したとき、最下位レベルタイマの計時を開始させる。前記ステップ１−５の判定において、肯定（ＹＥＳ）の判定結果が出力された場合、最下位レベルタイマによる計時時間が満了したか否かを判定し（ステップ１−７）、該判定で否定（ＮＯ）の判定結果が出力された場合、輻輳制御レベルを変更せず、現状のままとし（ステップ１−８）、該判定で肯定（ＹＥＳ）の判定結果が出力された場合、輻輳制御レベルを１段階レベルアップさせる（ステップ１−９）。即ち、輻輳制御レベルが、下限の最下位レベルに達した場合、最下位レベルとなった時点から一定時間後に強制的に輻輳制御レベルを１段階レベルアップさせる。
【００２４】
前記ステップ１−４の判定において、統計情報による成功率がＭ％以上であった場合は、輻輳制御レベルが最上位レベルであるか否かを判定し（ステップ１−１０）、該該判定で肯定（ＹＥＳ）の判定結果が出力された場合、当該無線基地局（ＮｏｄｅＢ＃Ｎ）を輻輳制御対象から解除する（ステップ１−１１）。前記ステップ１−１０の判定で、否定（ＮＯ）の判定結果が出力された場合、輻輳制御レベルを１段階レベルアップさせる（ステップ１−１２）。
【００２５】
上述の処理フローにより輻輳制御レベルを決定した後、当該輻輳制御対象無線基地局（ＮｏｄｅＢ＃Ｎ）のＲＡＣＨ信号処理数を、該輻輳制御レベルに応じて算出する（ステップ１−１３）。該ステップ１−１３の算出による当該輻輳制御対象無線基地局（ＮｏｄｅＢ＃Ｎ）のＲＡＣＨ信号処理数は、無線ネットワーク制御装置（ＲＮＣ）のＲＡＣＨ信号処理可能数に、輻輳制御レベルに応じた規制処理率を乗じて算出する。輻輳制御レベルに応じた規制処理率は、輻輳制御テーブルに予め格納しておく。
【００２６】
上記ステップ１−１３により当該輻輳制御対象無線基地局（ＮｏｄｅＢ＃Ｎ）の輻輳制御シーケンスが終了すると、全ての輻輳制御対象無線基地局（ＮｏｄｅＢ）に対して輻輳制御処理が終了したか否かを判定し（ステップ１−１４）、該判定で否定（ＮＯ）の判定結果が出力された場合、前述のステップ１−４に戻り、次の輻輳制御対象無線基地局（ＮｏｄｅＢ）に対して同様の処理を実施する。
【００２７】
上記ステップ１−１４の判定で肯定（ＹＥＳ）の判定結果が出力され、全ての輻輳制御対象無線基地局（ＮｏｄｅＢ）に対する輻輳制御処理が終了すると、前述のステップ１−２に戻り、次周期が到来したか、又は何れかの無線基地局（ＮｏｄｅＢ）のＲＡＣＨ信号数が無線ネットワーク制御装置（ＲＮＣ）のＲＡＣＨ信号処理可能数のＮ％以上に到達したかを判定し、該判で肯定（ＹＥＳ）の判定結果が出力されたとき、同様の処理を実施する。
【００２８】
輻輳時の呼接続要求信号の処理例を図２に示す。同図に示す例では、無線ネットワーク制御装置（ＲＮＣ）のＲＡＣＨ信号処理可能数が１０００個であるとし、輻輳制御対象とする成功率の閾値の比率Ｍが５０％、輻輳制御レベルとして、レベル２、レベル１及びレベル０の３段階の設定が可能であるものとし、レベル２の規制処理率が２０％、レベル１の規制処理率が１０％、レベル０の規制処理率が０％、最下位レベルタイマの計時時間が２秒であるとする。
【００２９】
同図の（ａ）は統計テーブルに格納された各無線基地局（ＮｏｄｅＢ）のＲＡＣＨ信号の受信数および成功率を周期毎に示し、同図の（ｂ）は本発明による各無線基地局（ＮｏｄｅＢ）のＲＡＣＨ信号の処理数及び廃棄数を周期毎に示し、同図の（ｃ）は従来技術の各無線基地局（ＮｏｄｅＢ）のＲＡＣＨ信号の処理数及び廃棄数を周期毎に示している。
【００３０】
なお、各無線基地局（ＮｏｄｅＢ）からのＲＡＣＨ信号の発生順序は、本来ランダムであるが、ここでは、説明を簡明化するため、無線基地局（ＮｏｄｅＢ＃０）から始まって、無線基地局（ＮｏｄｅＢ＃１）、無線基地局（ＮｏｄｅＢ＃２）、無線基地局（ＮｏｄｅＢ＃３）、無線基地局（ＮｏｄｅＢ＃４）の順に、纏まって発生するものとする。
【００３１】
第１の周期では、無線基地局（ＮｏｄｅＢ＃２）の成功率が４０％にダウンし、成功率閾値Ｍ（＝５０％）を下回ったので、該無線基地局（ＮｏｄｅＢ＃２）が輻輳制御対象となり、第２の周期で該無線基地局（ＮｏｄｅＢ＃２）のＲＡＣＨ信号処理数が、制御レベル２の個数、即ち１０００個×２０％（制御レベル２の規制処理率）＝２００個に制限される。
【００３２】
第２の周期では、無線基地局（ＮｏｄｅＢ＃２）で受信されたＲＡＣＨ信号数は４００個であるが、輻輳制御されているため、２００個までしか処理せず、残りの２００個を廃棄する。従来の技術では、廃棄する２００個のＲＡＣＨ信号を処理するため、無線ネットワーク制御装置（ＲＮＣ）のＲＡＣＨ信号処理可能数１０００を超えたとき、無線基地局（ＮｏｄｅＢ＃４）の２００個のＲＡＣＨ信号を処理することができず廃棄になったが、本発明によれば、無線基地局（ＮｏｄｅＢ＃４）の２００個のＲＡＣＨ信号が処理可能となる。
【００３３】
無線基地局（ＮｏｄｅＢ＃２）は、第２の周期でも成功率が２５％で成功率閾値Ｍ（＝５０％）以下であるため、制御レベルがレベル２からレベル１へ１段階ダウンし、次の第３周期でＲＡＣＨ信号処理数が、１０００個×１０％（制御レベル１の規制処理率）＝１００個に制限される。
【００３４】
無線基地局（ＮｏｄｅＢ＃２）は、第３の周期でも成功率が２５％で成功率閾値Ｍ（＝５０％）以下であるため、制御レベルがレベル１から最下位レベルのレベル０へダウンし、次の第４周期で、ＲＡＣＨ信号処理数が１０００個×０％（レベル１の規制処理率）＝０個に制限される。
【００３５】
第４周期では、無線基地局（ＮｏｄｅＢ＃２）の成功率に関する統計情報がなく、また、最下位レベルタイマが満了していないため、制御レベルは遷移せず、次の第５周期でも、無線基地局（ＮｏｄｅＢ＃２）が受信したＲＡＣＨ信号は全て廃棄される。
【００３６】
第５の周期で無線基地局（ＮｏｄｅＢ＃２）の最下位レベルタイマが満了したものとすると、ここで、無線基地局（ＮｏｄｅＢ＃２）の制御レベルを０から１へ強制的に１段階アップさせ、ＲＡＣＨ信号処理数を１００個（１０００×１０％（制御レベル１の規制処理率））とし、第６の周期で無線基地局（ＮｏｄｅＢ＃２）のＲＡＣＨ信号を１００個処理する。
【００３７】
第６の周期では、無線基地局（ＮｏｄｅＢ＃２）の成功率が９６％で成功率閾値Ｍ（＝５０％）を越えたので、無線基地局（ＮｏｄｅＢ＃２）の制御レベルを１から２へ１段階アップさせ、第７の周期で、無線基地局（ＮｏｄｅＢ＃２）のＲＡＣＨ信号が２００個（１０００×２０％）処理される。
【００３８】
第７の周期で無線基地局（ＮｏｄｅＢ＃２）の成功率が９６％で成功率閾値Ｍ（＝５０％）を越えたので、制御レベル２（最上位レベル）に設定されていた無線基地局（ＮｏｄｅＢ＃２）は、輻輳制御対象から解除され、第８の周期では、無線基地局（ＮｏｄｅＢ＃２）の受信したＲＡＣＨ信号が全て（５００個）処理される。また、輻輳制御の解除は、無線ネットワーク制御装置（ＲＮＣ）の輻輳状態が解除された段階でも、輻輳制御中の全無線基地局（ＮｏｄｅＢ）に対して、輻輳制御対象から解除する。
【００３９】
なお、図２において、実線の楕円形で囲んだ数値は、本発明による制御対象の無線基地局（ＮｏｄｅＢ＃２）のＲＡＣＨ信号の処理数及び廃棄数を示し、点線の楕円形で囲んだ数値は、本発明により改善されるＲＡＣＨ信号の処理数を示している。
【００４０】
上記実施例によれば、無線ネットワーク制御装置（ＲＮＣ）が輻輳している場合、無線ネットワーク制御装置（ＲＮＣ）で収集している統計情報で呼接続処理の成功率の低い無線基地局（ＮｏｄｅＢ）の呼接続要求信号の処理を規制することにより、成功率の高い無線基地局（ＮｏｄｅＢ）の呼接続要求信号の処理を優先させて実施することが可能となり、呼接続要求信号の処理数に制限がある無線ネットワーク制御装置（ＲＮＣ）で、有効的な呼接続処理が実施される。
【００４１】
また、呼接続要求信号の処理の規制を、各無線基地局（ＮｏｄｅＢ）における成功率に応じて無線基地局（ＮｏｄｅＢ）毎に段階的に変化させることにより、各無線基地局（ＮｏｄｅＢ）対応に適切な処理規制を実施することが可能となる。
【００４２】
また、最下位レベルの処理規制の実施により、成功率に関する統計情報が得られなくなってしまう場合に、最下位レベルタイマによる所定時間の経過を待って、輻輳制御レベルを最下位レベルより１レベル高く設定することにより、最下位レベルに陥ったときの回復措置を簡易な構成で講ずることができる。
【００４３】
また、何れかの無線基地局（ＮｏｄｅＢ）から受信した呼接続要求信号数が、無線基地局制御装置（ＲＮＣ）で処理可能な呼接続要求信号数の所定の割合の閾値を超えたとき、直ちに、前述の規制処理を実施することにより、特定の無線基地局（ＮｏｄｅＢ）の急激な呼接続要求の増加に対して、統計情報の集計周期の完了を待つことなく、迅速な処理規制を実施することが可能となる。
【図面の簡単な説明】
【００４４】
【図１】本発明による呼接続要求信号処理のフローを示す図である。
【図２】本発明による輻輳時の呼接続要求信号の処理例を示す図である。
【図３】第三世代携帯電話（３ＧＰＰ）システムのネットワーク構成の概要を示す図である。
【図４】移動機（ＵＥ）からの発信時の呼接続設定のシーケンスの概要を示す図である。
【符号の説明】
【００４５】
３−１  上位網（ＣＮ）
３−２  無線ネットワーク制御装置（ＲＮＣ）
３−３  無線基地局（ＮｏｄｅＢ）
３−４  移動機（ＵＥ）
【図１】
2008306513.tif 000003
【図２】
2008306513.tif 000004
【図３】
2008306513.tif 000005
【図４】
2008306513.tif 000006